(57)【要約】【課題】バリアユニットとカメラ本体の表面との間に塵埃等の入り込む余地を排除して、バリアユニットを移動させたときにバリアユニットによってカメラ本体の表面を傷付けることがなく、バリアユニットを常に安定して移動させることができるバリア付きカメラを提供する。【解決手段】撮影レンズ１６と、撮影レンズの前面を覆う位置と撮影レンズの前面から待避した位置との間を移動可能となるようにカメラ本体の前面に設けられたバリア手段１２と、バリア手段が手動操作に伴ってカメラ本体の表面に向けて変形してバリア手段によりカメラ本体の表面を傷付けることを防止するためにバリア手段の裏面に設けられカメラ本体の表面に常に当接するように付勢されておりバリア手段が移動するのに伴ってカメラ本体の表面上を摺動する摺動部材２５とを備えてなる。【選択図】図３
2010049197.tif 000002
【特許請求の範囲】
【請求項１】
バリア付きカメラにおいて、
撮影レンズと、
上記撮影レンズの前面を覆う位置と上記撮影レンズの前面から待避した位置との間を移動可能となるようにカメラ本体の前面に設けられたバリア手段と、
上記バリア手段が手動操作に伴って上記カメラ本体の表面に向けて変形して上記バリア手段により上記カメラ本体の表面を傷付けることを防止するために上記バリア手段の裏面に設けられ、上記カメラ本体の表面に常に当接するように付勢されており、上記バリア手段が移動するのに伴って上記カメラ本体の表面上を摺動する摺動部材と、
を具備したことを特徴としたバリア付きカメラ。
【請求項２】
上記摺動部材はピン状に形成され、上記カメラ本体の表面に対して垂直方向に可動であって、バネ部材によって常に上記カメラ本体の表面に向けて付勢されていることを特徴とした上記請求項１に記載のバリア付きカメラ。
【請求項３】
上記摺動部材は、上記カメラ本体の表面に当接する当接部が合成樹脂からなることを特徴とした上記請求項１又は請求項２のいずれかに記載のバリア付きカメラ。
【発明の詳細な説明】
【技術分野】
【０００１】
この発明は、バリア付きカメラ、詳しくは撮影レンズの前面を開閉するためのバリア手段をカメラ本体の前面に備えたバリア付きカメラに関し、特にバリア手段の構成及びその取り付け構造に関するものである。
【背景技術】
【０００２】
従来、写真撮影を行うカメラにおいて、撮影レンズの前面を開閉するためのバリア手段（バリアユニット）をカメラ本体の前面に備えたバリア付きカメラは、例えば特開２００４−２６４６９７号公報等によって、さまざまな形態のものが提案されており、また一般に実用化されている。
【０００３】
従来のバリア付きカメラにおけるバリアユニットは、例えば使用者が手動操作を行なうことで、撮影レンズの前面を覆う位置と撮影レンズの前面から待避した位置との間を移動可能となるようにカメラ本体の前面に設けられているものである。そして、このバリアユニットが移動する際には、カメラ本体の表面に沿う方向に移動するようになっている。
【特許文献１】特開２００４−２６４６９７号公報
【発明の開示】
【発明が解決しようとする課題】
【０００４】
ところが、上述したような形態、即ちバリアユニットがカメラ本体の表面に沿う方向に移動する構成の従来のバリア付きカメラにおいては、カメラ本体の表面とバリアユニットとの間に、例えば砂粒等の細かな塵埃等が入り込む可能性がある。
【０００５】
また、バリアユニットを移動させる際には、使用者がバリアユニットの前面に手指等を押し当てて手動操作するようになっているものがある。
【０００６】
このとき、バリアユニットの前面には、カメラ本体の表面に向けて外力が働くことになる。このようにバリアユニットの平面に対して垂直方向に外力がかかった場合、該バリアユニットは、両支持端を支点としてカメラ本体の表面に向けて変形し、よって、当該バリアユニットの裏面側がカメラ本体の表面に当接してしまう可能性がある。
【０００７】
このような状態となったときにバリアユニットを移動させたとすると、該バリアユニットはカメラ本体の表面に当接しながら、当該表面を摺動することになる。
【０００８】
このとき、上述したように、カメラ本体の表面とバリアユニットとの間に砂粒等の細かな塵埃等が入り込んだ状態となっていると、該バリアユニットが塵埃等をカメラ本体の表面に押し付けることになり、よって、カメラ本体の表面を傷付けてしまうという問題が生じる。また、たとえ塵埃が入り込んでいなくともバリア自身がカメラ本体の表面を傷付けてしまう可能性がある。
【０００９】
本発明は、上述した点に鑑みてなされたものであって、その目的とするところは、バリアユニットとカメラ本体の表面との間に塵埃等の入り込む余地を排除して、バリアユニットを移動させたときに、バリアユニットによってカメラ本体の表面を傷付けてしまうことがなく、常に安定した状態でスムースに移動させることができるようにバリアユニットの構成及びその取り付け構造を工夫したバリア付きカメラを提供することである。
【課題を解決するための手段】
【００１０】
上記目的を達成するために、本発明によるバリア付きカメラは、撮影レンズと、上記撮影レンズの前面を覆う位置と上記撮影レンズの前面から待避した位置との間を移動可能となるようにカメラ本体の前面に設けられたバリア手段と、上記バリア手段が手動操作に伴って上記カメラ本体の表面に向けて変形して上記バリア手段により上記カメラ本体の表面を傷付けることを防止するために上記バリア手段の裏面に設けられ、上記カメラ本体の表面に常に当接するように付勢されており、上記バリア手段が移動するのに伴って上記カメラ本体の表面上を摺動する摺動部材と、を具備したことを特徴とする。
【発明の効果】
【００１１】
本発明によれば、バリアユニットとカメラ本体の表面との間に塵埃等の入り込む余地を排除して、バリアユニットを移動させたときに、バリアユニットによってカメラ本体の表面を傷付けてしまうことがなく、常に安定した状態でスムースに移動させることができるようにバリアユニットの構成及びその取り付け構造を工夫したバリア付きカメラを提供することができる。
【発明を実施するための最良の形態】
【００１２】
以下、図示の実施の形態によって本発明を説明する。
【００１３】
図１〜図８は、本発明の一実施形態を示す図である。このうち図１，図２は、本実施形態のバリア付きカメラを示す外観図であって、図１はバリアユニットが開位置にある状態を示し、図２はバリアユニットが閉位置にある状態を示している。図３は、本実施形態のバリア付きカメラの分解斜視図である。図４は、本実施形態のバリア付きカメラにおけるバリアユニットのみを取り出して拡大して示す要部拡大分解斜視図である。図５は、図３に示す［Ｖ］−［Ｖ］線に沿う断面を示す拡大断面図である。なお、図５においては、図面の煩雑化を避けるために、特にバリアユニットとこれに関連する部材を主に図示し、本発明に直接関連しない部材、例えば本体ケース１０の内部構成部材等については、その図示を省略している。図６は、図５に示す［ＶＩ］部を拡大して示す要部拡大断面図である。図７は、本実施形態のバリア付きカメラのバリアユニットにおける摺動部材をバリアユニットに組み込む際の作用を説明する図である。図８は、本実施形態のバリア付きカメラのうち本体ケースとバリア本体部品とを取り出して示す分解斜視図である。
【００１４】
まず、本実施形態のバリア付きカメラの概略構成を、主に図１〜図３に基いて以下に説明する。
【００１５】
本実施形態のバリア付きカメラ１（以下、単にカメラ１と略記する）は、例えば樹脂成形品からなり内部に各種の構成部材、例えば撮影レンズユニット１６，閃光発光装置１７，ＡＦ補助光発光装置１８，表示装置等のほか制御回路や電源回路等の各種の電気部品等を有し、外面に複数の操作部材、例えば電源ボタン１９ａ，シャッターボタン１９ｂ等を配設して構成される本体ケース１０（図３参照）及びこの本体ケース１０の外面を覆うように配設され本カメラ１の外観を形成する複数の外観部品（符号１１，１３，１４，１５，２０等。詳細は後述する）によって構成されるカメラ本体と、このカメラ本体の前面に設けられ、撮影レンズユニット１６の前面から待避した位置（開位置という。図１に示す状態）と撮影レンズユニット１６の前面を覆う位置（閉位置という。図２に示す状態）との間を移動可能に構成したバリア手段であるバリアユニット１２等によって主に構成されている。
【００１６】
上記外観部品としては、主に本体ケース１０の前面及び上面，底面の一部を覆う前側外観部品１１と、主に本体ケース１０の側面をそれぞれ覆う右側外観部品１３，左側外観部品１４と、本体ケース１０の内部に電源電池や記録媒体を収納するための電池媒体収納室の開口部を覆う位置と開放する位置とに開閉自在に配設される電池蓋１５と、本体ケース１０の左側面に設けられ外部機器との間で有線による接続を行うための接続端子部の配設部位の開口を覆う位置と開放する位置とに開閉自在に配設される端子蓋２０等がある。
【００１７】
外観部品の少なくとも外面側は、主に金属部材によって形成されている。例えば、上記前側外観部品１１，右側外観部品１３，左側外観部品１４は、金属製（例えばアルミ板，亜鉛ダイカスト，ステンレス鋼等）の薄板を板金加工して形成されたものである。
【００１８】
前側外観部品１１の前面の上面寄りの部位には、本体ケース１０の内部に配設される撮影レンズユニット１６の前面を露呈させる撮影レンズ窓１１ａ（図１，図３参照）と、本体ケース１０の内部に配設される閃光発光装置１７の閃光を出射する閃光発光窓１１ｂ（同上）と、本体ケース１０の内部に配設されるＡＦ補助光発光装置１８のＡＦ補助光を出射するＡＦ補助光発光窓１１ｃ（同上）と、カメラ本体に対してバリアユニット１２を移動可能に連結する連結部品２６を固設するために該連結部品２６と同形状に形成される窓部１１ｄ（図３参照）等が穿設されている。
【００１９】
また、前側外観部品１１の上面側には、本体ケース１０の上面に配設される操作部材である電源ボタン１９ａ，シャッターボタン１９ｂを露呈させる窓部１１ｅ（図１，図３参照）が穿設されている。
【００２０】
矩形状の右側外観部品１３は、本カメラ１の前面に向かって右側面を覆うように配設されている。この右側外観部品１３は、本体ケース１０の右側面に対して二本のネジ１３ａ（図３参照）によって固定されるようになっている。
【００２１】
矩形状の左側外観部品１４は、本カメラ１の前面に向かって左側面を覆うように配設されている。この左側外観部品１４は、本体ケース１０の左側面に対して二本のネジ１４ａ（図２，図３参照）によって固定されるようになっている。
【００２２】
なお、左側外観部品１４には、端子蓋２０を開閉自在に配設するための窓部１４ｂが穿設されている。また、左側外観部品１４の略中央部分には、外側に向けて突出するループ形状のストラップ取付部１４ｃが形成されている。
【００２３】
一方、電池蓋１５，端子蓋２０は、本体部分は樹脂成形部品又はダイカスト成形品等からなり、その外面がメッキ等の金属薄等で覆うように構成されている。
【００２４】
矩形状の電池蓋１５は、その一端部に設けられる支軸１５ａによって本体ケース１０の一隅部（本実施形態の図示の例ではカメラ前面に向かって左下隅部）に回動自在に配設されている。これにより、電池蓋１５は、電池媒体収納室の開口を開閉し得る構造となっている。
【００２５】
矩形状の端子蓋２０も同様に、その一端部に設けられる支軸（図示せず）によって本体ケース１０の所定の部位（本実施形態の図示の例ではカメラの左側面の中程の部位）に回動自在に配設されている。これにより、端子蓋２０は、接続端子部の配設開口を開閉し得る構造となっている。
【００２６】
また、端子蓋２０は、ロック機構２０ａを有している。このロック機構２０ａは、端子蓋２０を本体ケース１０に対して閉状態に固定するための機構である。そして、ロック機構２０ａのツマミをスライドさせることによって、端子蓋２０の閉状態を解除し開状態とすることができるようにもなっている。
【００２７】
なお、図示されていないが、電池蓋１５もまた、上記端子蓋２０のロック機構２０ａと略同様のロック機構を有している。
【００２８】
上記電池蓋１５，端子蓋２０については、本発明の本質に関する部分ではないので、上述した以外の詳細構成についての説明は省略する。
【００２９】
バリアユニット１２は、撮影レンズユニット１６，閃光発光装置１７，ＡＦ補助光発光装置１８等の前面から退避して前側外観部品１１の各窓１１ａ，１１ｂ，１１ｃ等の前面を露呈する位置（開位置という。図１に示す状態）と、撮影レンズユニット１６，閃光発光装置１７，ＡＦ補助光発光装置１８等の前面を覆い前側外観部品１１の各窓１１ａ，１１ｂ，１１ｃ等の前面を遮蔽する位置（閉位置という。図２に示す状態）との間を移動可能となるようにカメラ１の前面に設けられている。
【００３０】
このバリアユニット１２は、図３，図４に示すように、バリア外観部品２１と、スペーサ２２と、バリア本体部品２３と、複数の付勢バネ２４と、複数の摺動部材２５等によって構成されている。
【００３１】
バリア外観部品２１は、金属製（例えばアルミニウム材等）の板状部材を加工して形成され、該バリアユニット１２の外面を覆う長方形（矩形）状の外観装飾部品である。
【００３２】
スペーサ２２は、樹脂製（例えばポリカーボネート材等の電気的絶縁材料）のシート状部材からなり、上記バリア外観部品２１と上記バリア本体部品２３との間に挟持されるように配置されて両者間の電気的接続を遮断して電蝕作用を防ぐ外形が長方形状の部品である。
【００３３】
なお、スペーサ２２は、バリア外観部品２１，バリア本体部品２３のそれぞれに対しては、接着剤等を用いて貼着されるようになっている。
【００３４】
バリア本体部品２３は、金属製（例えばステンレス鋼等）の板状部材を加工して形成され、該バリアユニット１２の本体部分を構成し、連結部品２６を介して該バリアユニット１２をカメラ本体に対して摺動可能に連結する略長方形状の部品である。
【００３５】
付勢バネ２４は、略円錐形状の金属製のコイルバネ等からなり、上記摺動部材２５をカメラ本体の前側外観部品１１の表面に対して常に当接するように付勢する付勢部材である。
【００３６】
摺動部材２５は、バリアユニット１２の裏面側に設けられ、上記付勢バネ２４によってカメラ本体の前側外観部品１１の表面に対して常に当接するように付勢され、カメラ本体の表面に対して垂直方向に可動である。これにより、摺動部材２５は、カメラ本体の表面に対してバリアユニット１２を支持する役目をしている。摺動部材２５は、例えばポリアセタール等の合成樹脂材によって形成されている。
【００３７】
摺動部材２５は、図５，図６に示すように、中空の筒状部２５ａと、この筒状部２５ａの一端側に連接して該筒状部２５ａよりも大径に形成され摺動面２５ｃとバネ受け面２５ｄを有してなるフランジ部２５ｂとによって形成されている。換言すれば、摺動部材２５は、例えば押しピン若しくは画鋲（Thumbtack）と同様の形状に形成されているものである。
【００３８】
摺動面２５ｃは、バリアユニット１２に組み込まれた状態で、前側外観部品１１の表面に常に当接し、バリアユニット１２が移動するときには摺動する面である。この摺動面２５ｃの略中央部分の領域には、断面が内側に向けて凹形状となる凹部２５ｆが形成されている。
【００３９】
バネ受け面２５ｄは、バリアユニット１２に組み込まれた状態で、付勢バネ２４の付勢力を受けて該摺動部材２５を前側外観部品１１の表面に向けて付勢する面である。
【００４０】
なお、摺動部材２５は、バリアユニット１２に組み込まれた状態（図６参照）となったときには、筒状部２５ａがバリア本体部品２３に穿設される孔２３ｃに挿通された状態となる。このとき、フランジ部２５ｂのバネ受け面２５ｄとバリア本体部品２３との間に付勢バネ２４が挟持される形態となるように、付勢バネ２４は筒状部２５ａに巻回されるように配置されている。
【００４１】
そして、摺動部材２５をバリアユニット１２に組み込んだ状態（図６参照）としたとき、筒状部２５ａの一端側のフランジ部２５ｂとは反対側の他端部には、筒状部２５ａの外径よりも大となるように周方向に突出する係止部２５ｅが形成される。この係止部２５ｅは、バリアユニット１２の組み立て工程において形成される部位である。
【００４２】
ここで、バリアユニット１２を組み立てる際の付勢バネ２４及び摺動部材２５の組み付け工程の概略を、図６，図７を用いて説明する。
【００４３】
上述したように、図６は図５の［ＶＩ］部を拡大して示す要部拡大断面図である。この図６は、バリアユニット１２を組み立てた状態を示しているものである。
【００４４】
一方、図７は、バリアユニット１２を組み立てる工程において、摺動部材２５をバリアユニット１２のバリア本体部品２３に組み込む際に治具にセットした際の状態を示している。
【００４５】
まず、バリアユニット１２に組み付ける以前の摺動部材２５の本来の形状は、図７に示すような形状となっている。即ち、摺動部材２５の筒状部２５ａの他端部が、外周縁に壁部２５ｅｅを有し、断面が内側に向けてテーパーを有する略凹状の凹部２５ｇを有するように形成されている。
【００４６】
バリアユニット１２を組み立てる工程においては、まず、上述した形態の摺動部材２５の筒状部２５ａに付勢バネ２４を巻回させる形態に挿通させる。このとき、付勢バネ２４の円錐の頂部側が摺動部材２５のフランジ部２５ｂのバネ受け面２５ｄに向けて、該頂部がバネ受け面２５ｄに当接させるように配置する。
【００４７】
このように付勢バネ２４を筒状部２５ａに巻回した状態の摺動部材２５の筒状部２５ａを、バリア本体部品２３の裏面から孔２３ｃに挿通させる。この状態では、摺動部材２５は、孔２３ｃから容易に抜け落ちてしまう状態にある。
【００４８】
また、同状態では、付勢バネ２４は、摺動部材２５のフランジ部２５ｂのバネ受け面２５ｄとバリア本体部品２３の裏面との間に配置されることになる。しかしながら、上述したように摺動部材２５が固定状態に無いので、付勢バネ２４の付勢力は摺動部材２５を孔２３ｃから脱落させる方向に働く。
【００４９】
この状態において、摺動部材２５が孔２３ｃから脱落するのを防ぐと共に、付勢バネ２４の付勢力が摺動部材２５をバリア本体部品２３の後方、即ちバリア本体部品２３の裏面に対向して配設される前側外観部品１１の表面に向けて付勢するようにするために、摺動部材２５の他端部の壁部２５ｅｅ（図７）を図６に示すような形態の係止部２５ｅとなるように潰す加工をする。
【００５０】
そのために、上述の状態とした摺動部材２５のフランジ部２５ｂの摺動面２５ｃ側の凹部２５ｆに対して、図７に示すように第１治具５１の凸部５１ｆを嵌合させる。
【００５１】
この第１治具５１は、摺動面２５ｃの凹部２５ｆと略同径の凸部５１ｆを有してなり、図示しない固定部に固定されている。
【００５２】
次いで、摺動部材２５の筒状部２５ａの他端部に対して垂直方向に第２治具５２を当接させる。この状態で、第２治具５２によって筒状部２５ａに対し図７の矢印Ｐに沿う方向の所定力量の圧力を加える。これにより、筒状部２５ａの他端部の壁部２５ｅｅは、図７に示す状態から図６に示すよう状態へと塑性変形して、係止部２５ｅが形成される。この係止部２５ｅの直径は、孔２３ｃの直径よりも大となるように設定される。
【００５３】
このように、第２治具５２により摺動部材２５に対して圧力を加えることで係止部２５ｅを形成するようにしているのであるが、このとき、同圧力を摺動部材２５のフランジ部２５ｂの摺動面２５ｃで受けるようにした場合、同摺動面２５ｃが傷付いてしまうことや微細な金属粉等を摺動面にくわえ込む可能性が考えられる。この摺動面２５ｃは、バリアユニット１２をカメラ本体に組み付けた状態としたときに前側外観部品１１の表面に当接し、バリアユニット１２が移動する際には、同表面上を摺動する部位である。したがって、この摺動面２５ｃが多少とも傷付いた状態になっていたり、微細な金属粉等がそこに存在していると、バリアユニット１２の移動に伴って摺動する際に前側外観部品１１の表面を傷付けてしまう可能性がある。
【００５４】
そこで、本実施形態においては、摺動部材２５をバリア本体部品２３に組み付けて係止部２５ｅを形成させる工程において、摺動部材２５に圧力を加える際には、フランジ部２５ｂの摺動面２５ｃを含む側の面の一部に形成した凹部２５ｆに対して第１治具５１をあてがって、この凹部２５ｆで圧力Ｐを受けるようにしている。
【００５５】
これにより、摺動面２５ｃが傷付くことなく滑らかな面を保持した状態で、係止部２５ｅを形成することができるようになっている。
【００５６】
このようにして係止部２５ｅが形成されることにより、摺動部材２５は、図６に示すような形態となる。この図６に示す状態では、摺動部材２５は、フランジ部２５ｂのバネ受け面２５ｄとバリア本体部品２３の裏面との間に挟持される付勢バネ２４の付勢力により、バリア本体部品２３の後方に向けて付勢される。このとき、摺動部材２５の係止部２５ｅがバリア本体部品２３の表側面で係止されることによって、同摺動部材２５は孔２３ｃから脱落しないようになっている。
【００５７】
そして、バリア本体部品２３の表側にスペーサ２２を貼着した後、このスペーサ２２の表側にバリア外観部品２１を貼着することで、バリアユニット１２の組み立ては完了する。
【００５８】
なお、本実施形態のバリアユニット１２においては、付勢バネ２４と摺動部材２５とは、バリア本体部品２３の裏面の所定の部位にそれぞれ５個配設されている。
【００５９】
このように構成されたバリアユニット１２がカメラ本体に組み込まれた状態において、摺動部材２５は、付勢バネ２４の付勢力によりカメラ本体の前側外観部品１１の表面に向けて付勢されている。したがって、バリアユニット１２が移動するのに伴って、摺動部材２５の摺動面２５ｃは、前側外観部品１１の表面上に常に当接しながら摺動するようになっている。
【００６０】
また、例えばバリアユニット１２が手動操作に伴って前側外観部品１１の表面に向けて変形されたような場合にも、前側外観部品１１の表面と摺動部材２５の摺動面２５ｃとの当接状態は、付勢バネ２４の付勢力によって常に維持されるようになっている。
【００６１】
したがって、前側外観部品１１の表面と摺動部材２５の摺動面２５ｃとの間に砂粒等の塵埃等が入り込むのを防いでいる。これによって、バリアユニット１２が移動する際に、該バリアユニット１２が前側外観部品１１の表面を傷付けてしまうようなことを防止し得るようになっている。
【００６２】
バリアユニット１２は、全体として長方形状となるように形成されており、その長辺方向の両端部分には、それぞれ立ち曲げ部が形成され、各立ち曲げ部には、短辺方向に沿う細長形状の摺動支持部２３ａ，２３ｂが形成されている。
【００６３】
図８に示すように、この摺動支持部２３ａ，２３ｂは、それぞれが本体ケース１０の両端部に細長状に形成され前側に向けた開口を有するガイド溝１０ａ，１０ｂに対して摺動自在に係合するようになっている。
【００６４】
これにより、バリアユニット１２は、カメラ本体の本体ケース１０に対して支持されると共に、ガイド溝１０ａ，１０ｂに沿う方向に移動し得るようになっている。
【００６５】
ガイド溝１０ａ，１０ｂには、外側に向けたレール状の凸状部１０ａａ，１０ｂｂが形成されている（図５参照）。これにより、ガイド溝１０ａ，１０ｂと摺動支持部２３ａ，２３ｂとは、線接触で摺動するようになっている。これと同時に、ガイド溝１０ａ，１０ｂ内には、摺動支持部２３ａ，２３ｂとの間において隙間空間が形成されるようになっている。この隙間空間は、ガイド溝１０ａ，１０ｂに沿う方向に形成されていて、その端部近傍は本体ケース１０の側面に向けて開口１０ｄ，１０ｅを有し、外部と連通している（図８参照）。したがって、これにより、例えばバリアユニット１２とカメラ本体との間に砂粒等の塵埃が入り込んだ場合には、これらの塵埃は、ガイド溝１０ａ，１０ｂの隙間空間を介して外部へ排出されるようになっている。
【００６６】
また、ガイド溝１０ａ，１０ｂに係合させた状態のバリアユニット１２が脱落しないようにするために、摺動支持部２３ａ，２３ｂがガイド溝１０ａ，１０ｂに摺動自在に係合させた状態としたとき、ガイド溝１０ａ，１０ｂの前側開口を覆うように、バリアオサエ部品２８，２９が配設されている。
【００６７】
バリアオサエ部品２８には、本体ケース１０に対する位置決めを行う位置決め孔２８ａが穿設されている。この位置決め孔２８ａは、本体ケース１０の右側面に形成される位置決めピン（図示せず）に嵌合するようになっている。そして、バリアオサエ部品２８は、本体ケース１０の右側面と右側外観部品１３との間に挟持された状態で固定されている。
【００６８】
一方、バリアオサエ部品２９にも同様に、本体ケース１０に対する位置決めを行う位置決め孔２９ａが穿設されている。この位置決め孔２９ａは、本体ケース１０の左側面に形成される位置決めピン１０ｃ（図３参照）に嵌合するようになっていると共に、本体ケース１０の左側面に対して両面テープ等により貼着されている。そして、このバリアオサエ部品２９は、本体ケース１０の左側面と左側外観部品１４との間に挟持された状態で固定されている。
【００６９】
上述したように、バリアユニット１２は、連結部品２６を介してカメラ本体の前側外観部品１１に連結されるようになっている。
【００７０】
連結部品２６は、前側外観部品１１の窓部１１ｄに嵌合された状態で、前側外観部品１１の裏面から二本のネジ２６ｃによって該前側外観部品１１に対して固定されている。この連結部品２６の前面側には、前方に向けて二本のピン２６ａがカシメ等によって植設されている。この二本のピン２６ａは、頭部が円形平板状に形成されている。
【００７１】
この二本のピン２６ａは、バリアユニット１２のバリア本体部品２３に形成される二本のガイド溝２３ｄにそれぞれ係合するようになっている。このガイド溝２３ｄは、バリア本体部品２３の短辺方向に延びるように形成されている。
【００７２】
このバリア本体部品２３のガイド溝２３ｄには、ピン２６ａの円形平板状頭部を包み込むような形態のレール部が形成されている（図４参照）。したがって、このレール部に対してピン２６ａの頭部をスライドさせて係合させた状態にすると、バリア本体部品２３は、ガイド溝２３ｄに沿う方向（短辺方向）、即ち、カメラ上下方向にのみ移動可能となり、ピン２６ａの軸方向に対してはピン２６ａがガイド溝２３ｄから容易に抜去し得ない構造となっている。
【００７３】
このような形態でバリア本体部品２３と連結部品２６とを連結させることによって、バリアユニット１２に対してカメラ本体の表面の垂直方向への外力、例えばバリアユニット１２をカメラ本体の表面から剥がし取るような外力が加わったときに、バリアユニット１２がカメラ本体の表面から容易に剥がれてしまうことがないように工夫されている。
【００７４】
そして、連結部品２６とバリア本体部品２３との間には、バリアユニット１２の開状態又は閉状態の各状態を維持するためのトグルバネ２７が懸架されている。
【００７５】
このトグルバネ２７は、一端が連結部品２６の前面にカシメ等によって植設された係止ピン２６ｂに架けられており、他端がバリア本体部品２３の裏面にカシメ等によって植設された係止ピン２３ｅに架けられている。
【００７６】
さらに、バリア本体部品２３の裏面の略中央部には、短辺方向に延びるカム溝が形成されたスイッチカム３１が配設されている。このスイッチカム３１は、本体ケース１０の前面の略中央部分に回動自在に配設されているスイッチ３０とカム結合している。そして、バリアユニット１２の開閉移動に連動して電源スイッチがオンオフされるようになっている。
【００７７】
このように構成された本実施形態のバリア付きカメラにおいては、図２に示すようにバリアユニット１２が閉位置にあるときに、使用者がバリアユニット１２の外面側に手指等をかけて、該バリアユニット１２をカメラ本体の表面に沿う方向、具体的には、カメラ上下方向にスライドさせる。これにより、バリアユニット１２は、図１に示すように開位置に移動する。
【００７８】
このとき、バリアユニット１２の裏面には、カメラ本体の前側外観部品１１の表面に常に当接するように付勢され、バリアユニット１２が移動するのに伴ってカメラ本体の表面上を摺動する摺動部材２５が設けられている。
【００７９】
したがって、この構成により本実施形態のバリア付きカメラは、カメラ本体の前面に設けられ、撮影レンズユニット１６の前面を覆う閉位置と撮影レンズユニット１６の前面から待避した開位置との間を移動可能となるバリアユニット１２が、使用者の手動操作に伴ってカメラ本体の表面に向けて変形してバリアユニット１２によってカメラ本体の表面を傷付けることを防止している。
【００８０】
以上説明したように上記一実施形態によれば、撮影レンズユニット１６の前面を覆う閉位置と撮影レンズユニット１６の前面から待避した開位置との間を移動可能となるようにカメラ本体の前面に設けられたバリアユニット１２の裏面に、カメラ本体の前側外観部品１１の表面に常に当接するように付勢され、バリアユニット１２が移動するのに伴ってカメラ本体の表面上を摺動する摺動部材２５を設けたので、例えばスライド移動するバリアユニット１２とカメラ本体との間に砂粒等の塵埃が入り込んだ場合でも、カメラ本体の表面を傷付けてしまうことがなく、また、バリアユニット１２を常にスムーズにスライド移動させることができる。
【００８１】
なお、本願発明に基づけば、バリア付きカメラだけではなく、携帯される機器に設けられるスライド部材にも適用できる。例えば、携帯通信機器等の外観表面上を移動するスライド部材に本願の摺動部材を設ける構成が考えられる。これによれば、携帯通信機器とスライド部材との間の外観表面に傷を付けることがないという効果を得られる。
【００８２】
そして、摺動部材をスライド部材側に設ける構成はもちろんであるが、摺動部材を機器の本体側に設けるようにしてもよく、その場合にも同様の効果を得ることができる。
【００８３】
また、本願説明中のカメラは、砂等の付着可能性の高い防水カメラ等に適用することができる。
【００８４】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００８５】
【図１】本発明の一実施形態のバリア付きカメラにおいてバリアユニットが開位置にある状態を示す外観斜視図。
【図２】本発明の一実施形態のバリア付きカメラにおいてバリアユニットが閉位置にある状態を示す外観斜視図。
【図３】本発明の一実施形態のバリア付きカメラの分解斜視図。
【図４】本発明の一実施形態のバリア付きカメラにおけるバリアユニットのみを取り出して拡大して示す要部拡大分解斜視図。
【図５】図３の［Ｖ］−［Ｖ］線に沿う拡大断面図。
【図６】図５の［ＶＩ］部を拡大して示す要部拡大断面図。
【図７】本発明の一実施形態のバリア付きカメラのバリアユニットにおける摺動部材をバリアユニットに組み込む際の作用を説明する図。
【図８】本発明の一実施形態のバリア付きカメラのうち本体ケースとバリア本体部品とを取り出して示す分解斜視図。
【符号の説明】
【００８６】
１……カメラ
１０……本体ケース
１０ａ，１０ｂ……ガイド溝
１０ａａ，１０ｂｂ……凸状部
１１……前側外観部品
１１ａ……撮影レンズ窓
１１ｂ……閃光発光窓
１１ｃ……補助光発光窓
１２……バリアユニット
１３……右側外観部品
１４……左側外観部品
１５……電池蓋
１６……撮影レンズユニット
１９ａ……電源ボタン
１９ｂ……シャッターボタン
２０……端子蓋
２１……バリア外観部品
２２……スペーサ
２３……バリア本体部品
２３ａ，２３ｂ……摺動支持部
２３ｃ……孔
２３ｄ……ガイド溝
２３ｅ……係止ピン
２４……付勢バネ
２５……摺動部材
２５ａ……筒状部
２５ｂ……フランジ部
２５ｃ……摺動面
２５ｄ……バネ受け面
２５ｅ……係止部
２５ｅｅ……壁部
２５ｆ……凹部
２５ｇ……凹部
２６……連結部品
２７……トグルバネ
２８……バリアオサエ部品
２９……バリアオサエ部品
３０……スイッチ
３１……スイッチカム
５１……第１治具
５１ａ……凸部
５２……第２治具
【図１】
2010049197.tif 000003
【図２】
2010049197.tif 000004
【図３】
2010049197.tif 000005
【図４】
2010049197.tif 000006
【図５】
2010049197.tif 000007
【図６】
2010049197.tif 000008
【図７】
2010049197.tif 000009
【図８】
2010049197.tif 000010